(57)【要約】【課題】飲料缶からの取り外しが容易で十分な強度を有する景品として取り付けられる缶キャップを提供することである。【解決手段】飲料缶ＣＮ１１の一端に景品として取り付けられる缶キャップ１００であって、円形の開口部ＡＰ３１の内面に設けられた係止部ＳＴ３１により飲料缶ＣＮ１１の一端に係止される第１部材１と、第１部材１の開口部ＡＰ３１と反対側の外面を覆うように形成されると共に、第１部材１より硬質である第２部材２とを備える。【選択図】図３
2016052915.tif 000002
【特許請求の範囲】
【請求項１】
飲料缶の一端に景品として取り付けられる缶キャップであって、
円形の開口部の内面に設けられた係止部により前記飲料缶の一端に係止される第１部材と、
前記第１部材の開口部と反対側の外面を覆うように形成されると共に、前記第１部材より硬質である第２部材と、
を備えたことを特徴とする缶キャップ。
【請求項２】
前記第２部材は、前記第１部材の外面全体を覆うように形成されることを特徴とする請求項１に記載の缶キャップ。
【請求項３】
前記第１部材の開口部の端部には、外面方向に突出する突出部が形成され、
前記第２部材は、前記第１部材の開口部と反対側の外面であって前記突出部が形成された部分以外を覆うことを特徴とする請求項１に記載の缶キャップ。
【請求項４】
前記第１部材は、ポリプロピレンからなり、前記第２部材は、ＡＢＳ樹脂からなることを特徴とする請求項１から３の何れか一項に記載の缶キャップ。
【請求項５】
前記第２部材の外面に、映画、或いは、アニメーションに登場するキャラクターの図柄が描かれていることを特徴とする請求項１から４の何れか一項に記載の缶キャップ。
【発明の詳細な説明】
【技術分野】
【０００１】
本発明は、飲料缶に景品として取り付けられる缶キャップに関するものである。
【背景技術】
【０００２】
従来、コーヒーや清涼飲料水等の飲料缶の販売を促進するため、消費者の購買意欲を刺激する景品を、飲料缶を購入した消費者に提供することがある。
【０００３】
このような景品の提供方法としては、飲料缶に景品を直接取り付けることが一般的であり、例えば、飲料缶の上部に取り付けられた収容容器の内部に景品を収容することにより、飲料缶の購入者に景品を提供する景品収容容器が開示されている（例えば、特許文献１及び２等参照）。
【先行技術文献】
【特許文献】
【０００４】
【特許文献１】特開２００４−０９９１３０号公報
【特許文献２】特開２００７−１１２４６７号公報
【発明の概要】
【発明が解決しようとする課題】
【０００５】
しかしながら、特許文献１及び２に示す景品収容容器では、景品収容容器はあくまでも飲料缶に景品を取り付けるための手段であって、消費者は、景品収容容器自体には価値を感じるものではなく、このため、景品を取り出した後の景品収容容器はそのまま廃棄されることが想定され、資源の無駄使いになってしまう。
また、景品は、景品収容容器に収容されているため、例えば、景品収容容器が透明の素材であったとしても、景品の形状及び色彩等を直接把握しにくいため、店舗の陳列棚において、消費者の目を引きにくく、購買意欲を十分に刺激できなくなる。
さらに、特許文献１及び２に示す景品収容容器は、単一の樹脂で形成されており、このように単一の樹脂で缶キャップを形成すると、硬質の樹脂を使用して景品としての缶キャップを形成した場合には、飲料缶からの取り外しがむずかしくなり、軟質の樹脂を使用して景品としての缶キャップを形成した場合には、強度が不足して缶キャップが変形する恐れがあるといった問題点があった。
【０００６】
本発明の課題は、かかる問題点を解決するためになされたものであり、飲料缶からの取り外しが容易で十分な強度を有する景品として取り付けられる缶キャップを提供することを目的とする。
【課題を解決するための手段】
【０００７】
上記課題を達成するため、請求項１に記載の発明は、飲料缶の一端に景品として取り付けられる缶キャップであって、円形の開口部の内面に設けられた係止部により前記飲料缶の一端に係止される第１部材と、前記第１部材の開口部と反対側の外面を覆うように形成されると共に、前記第１部材より硬質である第２部材と、備えたことを特徴とする。
【０００８】
請求項２に記載の発明は、請求項１に記載の缶キャップにおいて、前記第２部材は、前記第１部材の外面全体を覆うように形成されることを特徴とする。
【０００９】
請求項３に記載の発明は、請求項１に記載の缶キャップにおいて、前記第１部材の開口部の端部には、外面方向に突出する突出部が形成され、前記第２部材は、前記第１部材の開口部と反対側の外面であって前記突出部が形成された部分以外を覆うことを特徴とする。
【００１０】
請求項４に記載の発明は、請求項１から３の何れか一項に記載の缶キャップにおいて、前記第１部材は、ポリプロピレンからなり、前記第２部材は、ＡＢＳ樹脂からなることを特徴とする。
【００１１】
請求項５に記載の発明、請求項１から４の何れか一項に記載の缶キャップにおいて、前記第２部材の外面に、映画、或いは、アニメーションに登場するキャラクターの図柄が描かれていることを特徴とする。
【発明の効果】
【００１２】
本発明によれば、飲料缶の一端に景品として取り付けられる缶キャップであって、円形の開口部の内面に設けられた係止部により飲料缶の一端に係止される第１部材と、第１部材の開口部と反対側の外面を覆うように形成されると共に、第１部材より硬質である第２部材とを備えたことにより、飲料缶から景品である缶キャップを取り外す際に係止部が弾性変形して、飲料缶からの取り外しが容易であり、かつ、第２部材は第１部材よりは硬質であるので、十分な強度を有する景品として取り付けられる缶キャップを提供することができる。
また、缶キャップ自体が景品となることにより、缶キャップはそのまま廃棄されることなく、資源の無駄使いを防止できる。
また、缶キャップ自体が景品となることにより、形状及び色彩等を直接把握できるので、店舗の陳列棚において、消費者の目を引くことができ、購買意欲を十分に刺激することができる。
【図面の簡単な説明】
【００１３】
【図１】本発明に係る缶キャップを飲料缶に取り付けた状態の斜視図である。
【図２】本発明に係る缶キャップを飲料缶に取り付けた状態の側面図及び平面図である。
【図３】図２のIII−III断面の一例を示す図である。
【図４】飲料缶に取り付けた状態の図２のIII−III断面の一例を示す図である。
【図５】本発明に係る缶キャップの断面の他の一例を示す図である。
【発明を実施するための形態】
【００１４】
（第１実施形態）
以下に第１実施形態に係る缶キャップについて図１〜図４を用いて説明する。
第１実施形態に係る缶キャップ１００は、それ自体が消費者の購買意欲を刺激する景品であり、缶キャップ１００の外観は、例えば、映画やアニメーションに登場するキャラクターの形状を模した形状となるように形成されている。
【００１５】
そして、このような缶キャップ１００は、図１及び図２に示すように、コーヒーや清涼飲料水の飲料缶ＣＮ１１の一端である上部の巻き締め縁に、後述する係止部により係止されることで取り付けられる。
【００１６】
ここで、図３は、図２のIII−III断面の一例を示す図であり、缶キャップ１００は、円形の開口部ＡＰ３１を有すると共に、当該開口部ＡＰ３１の内面に係止部ＳＴ３１が設けられた第１部材１と、当該第１部材１の開口部と反対側の外面を覆うように形成された第２部材２とから構成される。
【００１７】
第１部材１は、例えば、ポリプロピレン（polypropylene）等の樹脂で半球状に形成され、半球の円周部分には円形の開口部ＡＰ３１が形成され、当該開口部ＡＰ３１の内面には係止部ＳＴ３１が設けられる。
【００１８】
第２部材２は、第１部材１よりも硬質の樹脂、例えば、ＡＢＳ樹脂（アクリロニトリル（Acrylonitrile）、ブタジエン（Butadiene）、スチレン（Styrene）共重合合成樹脂）等の樹脂で、第１部材１であって開口部ＡＰ３１と反対側の外面を覆うように半球状に形成される。
【００１９】
ここで、図４は、飲料缶ＣＮ１１に取り付けた状態の図２のIII−III断面の一例を示す図であり、飲料缶ＣＮ１１の一端である上部の巻き締め縁ＥＧ４１に、第１部材１の開口部ＡＰ３１の内面に設けられた係止部ＳＴ３１が引っかかることにより、缶キャップ１００が飲料缶ＣＮ１１に係止され取り付けられる。
そして、第１部材１は、ポリプロピレン等の樹脂で形成されるため、開口部ＡＰ３１の内面に設けられた係止部ＳＴ３１は可撓性を有する。このため、飲料缶ＣＮ１１から景品である缶キャップ１００を取り外す際に、飲料缶ＣＮ１１の一端である上部の巻き締め縁ＥＧ４１に係止する係止部ＳＴ３１が、弾性変形して容易に缶キャップ１００を取り外すことができる。
【００２０】
一方、第２部材２は、ＡＢＳ樹脂等の樹脂で形成されるため、ポリプロピレン等の樹脂で形成された第１部材１よりは硬質であり、十分な強度を有するので、缶キャップ１００としての変形を防止する。
また、第２部材２の外観の形状や図柄は、例えば、映画やアニメーションに登場するキャラクターの形状や図柄を模した形状や図柄となるように形成されており、缶キャップ１００全体としては消費者の購買意欲を刺激する景品となる。
【００２１】
以上説明したように、第１実施形態に係る缶キャップ１００は、飲料缶ＣＮ１１の一端に景品として取り付けられる缶キャップ１００であって、円形の開口部ＡＰ３１の内面に設けられた係止部ＳＴ３１により飲料缶ＣＮ１１の一端に係止される第１部材１と、第１部材１の開口部と反対側の外面を覆うように形成されると共に、第１部材１より硬質である第２部材２とを備えたことにより、飲料缶ＣＮ１１から景品である缶キャップ１００を取り外す際に係止部ＳＴ３１が弾性変形して、飲料缶ＣＮ１１からの取り外しが容易になり、かつ、第２部材２は第１部材１よりは硬質であるので、十分な強度を有する景品として取り付けられる缶キャップ１００を提供することができる。
【００２２】
また、缶キャップ１００自体が景品となるように、第２部材２の外観の形状や図柄は、例えば、映画やアニメーションに登場するキャラクターの形状や図柄を模した形状や図柄となるように形成することにより、缶キャップ１００はそのまま廃棄されることなく、資源の無駄使いを防止できる。
【００２３】
また、缶キャップ１００自体が景品となるように、第２部材２の外観の形状や図柄は、例えば、映画やアニメーションに登場するキャラクターの形状や図柄を模した形状や図柄となるように形成することにより、形状を直接把握できるので、店舗の陳列棚において、消費者の目を引くことができ、購買意欲を十分に刺激することができる。
【００２４】
（第２実施形態）
また、本発明の第１実施形態の説明に際しては、図３及び図４に示すように、第２部材２は、第１部材１の外面全体を覆い、第１部材１の外面が見えないように形成されているが、図５の缶キャップ１０１に示すように、開口部ＡＰ５１の端部を、第１部材３の外面方向に突出させて、第１部材３の外面の一部が見えるようにしても良い。
【００２５】
すなわち、第１部材３は、例えば、ポリプロピレン等の樹脂で半球状に形成され、半球の円周部分には円形の開口部ＡＰ５１が形成され、当該開口部ＡＰ５１の内面には係止部ＳＴ５１が設けられる。さらに、開口部ＡＰ５１の端部には、第２部材４の厚さ分に相当する突出部ＯＨ５１が形成される。
【００２６】
一方、第２部材４は、例えば、ＡＢＳ樹脂等の樹脂で、第１部材３の開口部ＡＰ５１と反対側の外面であって突出部ＯＨ５１が形成された部分以外を覆うように半球状に形成される。
【００２７】
このため、突出部ＯＨ５１の外面と、第２部材４の外面とは略一致することになり、缶キャップ１０１の外面は、第１部材３及び第２部材４の２つの樹脂の外面が見えるようになるので、例えば、第１部材３及び第２部材４の色彩を異ならせることにより、所謂、ツートンカラーとなり、店舗の陳列棚において、消費者の目を引くことができ、購買意欲を十分に刺激することができる。
また、突出部ＯＨ５１部分が第２部材４で覆われないので、係止部ＳＴ５１がより変形し易くなって、飲料缶ＣＮ１１からの取り外しが容易になる。
【００２８】
以上説明したように、第２実施形態に係る缶キャップ１０１は、飲料缶ＣＮ１１からの取り外しが容易であり、かつ、十分な強度を有する景品として取り付けられる缶キャップ１０１を提供することができると共に、開口部ＡＰ５１の端部で、第１部材３の一部を第１部材３の外面方向に突出させることにより、缶キャップ１０１の外面は、第１部材３及び第２部材４の２つの樹脂の外面が見えるようになるので、ツートンカラーにすることができ、店舗の陳列棚において、消費者の目を引くことができ、購買意欲を十分に刺激することができる。
【００２９】
なお、本発明の範囲は上記実施形態に限られることなく、本発明の趣旨を逸脱しない範囲において種々の改良並びに設計の変更を行っても良い。
【００３０】
また、図１〜図５に示すように、本発明の本実施形態の説明に際しては、缶キャップ１００等は、一例として、半球状の形状を例示しているが、勿論、この形状に限定されるものではなく、円形の開口部を有し、当該開口部の内面に設けられた係止部により飲料缶の一端に係止される第１部材と、第１部材の開口部と反対側の外面を覆うように形成され、第１部材より硬質である第２部材と、を備えるものであれば良い。
【００３１】
また、上述の通り、缶キャップ１００等の外観の形状や図柄は、それ自体が消費者の購買意欲を刺激する景品であるために、例えば、映画やアニメーションに登場するキャラクターの形状を模した形状や図柄となるように形成されることが好ましい。
【００３２】
また、係止部ＳＴ３１（係止部ＳＴ５１）は、開口部ＡＰ３１（開口部ＡＰ５１）の内面全体に亘って形成されるものであっても、開口部ＡＰ３１（開口部ＡＰ５１）の内面の一部分に形成されるものであっても良い。
【００３３】
また、突出部ＯＨ５１は、開口部ＡＰ５１の端部の全体に亘って形成されるものであっても、開口部ＡＰ５１の端部の一部分に形成されるものであっても良い。
【符号の説明】
【００３４】
１、３  第１部材
２、４  第２部材
１００、１０１  缶キャップ
ＳＴ３１、ＳＴ５１  係止部
ＡＰ３１、ＡＰ５１  開口部
ＯＨ５１  突出部
ＣＮ１１  飲料缶
ＥＧ４１  巻き締め縁
【図１】
2016052915.tif 000003
【図２】
2016052915.tif 000004
【図３】
2016052915.tif 000005
【図４】
2016052915.tif 000006
【図５】
2016052915.tif 000007